(57)【要約】【課題】硬貨回収ユニットの硬貨振分体における突起にぶつかっても安全性を確保することが可能な自動販売機の硬貨回収ユニットを提供する。【解決手段】外扉の背面に設置して硬貨処理装置から払い出された硬貨を外扉の開閉に応じて硬貨返却口若しくは回収箱に振分けて導く硬貨振分体を備えた自動販売機の硬貨回収ユニットであって、硬貨振分体から外扉の背面側に突出して自動販売機本体側の押圧部に当接する被押圧部としての突起を有するものにおいて、前記突起を、左右方向に弾性変形可能な弾性体部１４１ａを有するレバー片１４１として形成し、外扉の背面に大きく張り出したレバー片１４１に作業者がぶつかった際、弾性体部１４１ａが変形してレバー片１４１を弾性体部１４１ａで屈曲させることにより怪我を防止（安全性を確保）する。【選択図】図１
2016119013.tif 000002
【特許請求の範囲】
【請求項１】
外扉の背面に設置して硬貨処理装置から払い出された硬貨を硬貨返却口若しくは回収箱に振分けて導く自動販売機の硬貨回収ユニットであって、硬貨回収ユニットは外扉を閉じた際に硬貨処理装置の硬貨払出口と硬貨返却口とを連通するように硬貨通路を切り換える一方、外扉を開放した際に硬貨処理装置の硬貨払出口と回収箱とを連通するように硬貨通路を切り換える硬貨振分体を備え、硬貨振分体は外扉の背面側に突出する被押圧部としての突起を有するものにおいて、前記突起は、左右方向に弾性変形可能な弾性体部を有するレバー片からなることを特徴とする自動販売機の硬貨回収ユニット。
【請求項２】
請求項１に記載の自動販売機の硬貨回収ユニットにおいて、レバー片は短冊状の平板からなり、平板を左右方向に屈曲させて弾性体部を形成してなることを特徴とする自動販売機の硬貨回収ユニット。
【発明の詳細な説明】
【技術分野】
【０００１】
この発明は、外扉に設置されるとともに硬貨投入口から投入された硬貨を識別する硬貨識別装置から払い出された硬貨を硬貨返却口若しくは集金箱に振り分ける自動販売機の硬貨回収ユニットに関する。
【背景技術】
【０００２】
例えば、缶入り飲料，ペットボトル入り飲料などの商品を販売する清涼飲料自動販売機は、断熱筐体としてなる自動販売機本体の商品収納庫内に前記商品をコールド，ホット状態に区分して保存するとともに外扉のディスプレイ室内に複数の商品見本を左右に並べて展示し、前記商品見本に対応して設けられた商品選択ボタンの操作に基いて選択された商品を販売するように構成されている。この種の自動販売機について図６および図７を用いて説明する。
【０００３】
この自動販売機は、図６および図７に示すように、前面が開口した自動販売機本体１と、自動販売機本体１の前面における一方の側壁にヒンジにより開閉可能に支持された片開き式の外扉２とを備え、前記自動販売機本体１は鋼板製の外箱の内側、すなわち、上壁，左右側壁，背壁および底壁１ｄにウレタンフォームからなる断熱ボードを配設して断熱筐体として構成されている。前記自動販売機本体１の断熱ボードで囲まれた商品収納庫内は断熱仕切板３により左右方向に複数の商品収納室１ａ，１ｂ,１ｃに区画されている。前記各商品収納室１ａ，１ｂ,１ｃには、この例ではサーペンタイン方式と呼ばれる蛇行した商品収納通路を有し、下端に商品搬出装置を有する商品収納ラック４がそれぞれ収容設置されるとともに、前記商品収納ラック４の下部には商品搬出装置により切り出された商品が滑動ないしは転動する前傾姿勢の商品搬出シュータ６が配設され、当該商品搬出シュータ６の下部であって各商品収納室の下端には、当該各商品収納室を冷却もしくは加熱して商品ラックに収納した商品をコールド・ホット状態に保存する冷却／加熱ユニットが配設されている。前記自動販売機本体１の前面には内扉５が配設され、この例では内扉５が上下の上内扉５１と下内扉５２に分割されている。下内扉５２には各商品収納室１ａ，１ｂ,１ｃの商品収納ラック４から払い出された商品を送出する商品搬出シュータ６と対峙する位置に搬出扉５２ａを有する商品搬出口が設けられている。前記搬出扉５２ａは上端入口を軸支されて垂下するとともに自重により商品搬出口を閉塞して冷気若しくは暖気の流出を防止しており、商品搬出シュータ６を介して搬出される商品により押し開かれ、当該商品を外扉２の商品取出口２６に送出するように形成されている。
【０００４】
前記外扉２の前面の上部域は商品見本を展示する透明板で覆われたディスプレイ室７として形成され、前記透明板の前面には商品選択ボタンユニット８が設けられ、商品選択ボタンユニット８には展示された商品見本８１に対応して設けられた商品選択ボタン８２を有している。また、外扉２の前面には硬貨投入口２１、紙幣挿入口２２、返却レバー２３、硬貨返却口２４、硬貨，紙幣の投入金額を表示するとともにブザーを内蔵した表示ユニット２５、商品取出口２６、およびハンドルロック２７などが設けられている。前記外扉２０の背面側には、硬貨投入口２１から投入された硬貨の識別，計数，釣銭払出などの処理を行うコインメカニズムと称される硬貨処理装置２１０、紙幣挿入口２２に挿入された紙幣の識別，計数，釣銭払出などの処理を行うビルバリデータと称される紙幣識別装置２２０、前記硬貨処理装置２１０の下方に配設された硬貨回収ユニット２８、この硬貨回収ユニット２８の下方に配設された回収箱２９などが設けられている。前記硬貨処理装置２１０は、硬貨投入口２１から投入された硬貨の真贋および金種を識別したうえで識別された硬貨を金種別の釣銭チューブに収納するとともに金種別の釣銭チューブが満杯でオーバーフローした硬貨を回収箱２９に集金する一方、前記金種別の釣銭チューブに収納された硬貨を払出機構により払い出すように構成されているのは周知のとおりである。
【０００５】
前記硬貨回収ユニット２８は、硬貨処理装置２１０から払い出された硬貨を前記硬貨返却口２４若しくは回収箱２９に振分けて導くものであり、通常販売時には硬貨処理装置２１０の硬貨払出口と硬貨返却口２４とが連通するように硬貨通路を切り換える一方、メンテナンス時（夜間の一時的な回収時や定期的な売上計上のための回収時）に硬貨処理装置２１０の硬貨払出口と回収箱２９とが連通するように硬貨通路を切り換えて硬貨処理装置２１０の金種別の釣銭チューブに収納された硬貨を一括して回収する硬貨振分体を備えている。前記硬貨回収ユニット２８の硬貨振分体として、外扉２の開閉に応じて移動して自動的に硬貨通路を切り換える、つまり、外扉２が閉じられた状態で硬貨処理装置２１０の硬貨払出口と硬貨返却口２４とが連通し、外扉２が開放された状態で硬貨処理装置２１０の硬貨払出口と回収箱２９とが連通するように硬貨通路を切り換えるように構成されたものが知られている（例えば、特許文献１参照）。
【先行技術文献】
【特許文献】
【０００６】
【特許文献１】特開２００２−８３３５３号公報
【発明の概要】
【発明が解決しようとする課題】
【０００７】
前記特許文献１に開示された発明は、硬貨回収ユニット２８の硬貨振分体が外扉２の背面側に突出する被押圧部としての突起を有し、外扉２が閉じられた状態で突起が押圧部としての自動販売機本体側１側の構成部材（例えば、下内扉５２）に当接して回動することにより硬貨処理装置２１０の硬貨払出口と硬貨返却口２４とを連通し、外扉２が開放された際に自重により回動して硬貨処理装置２１０の硬貨払出口と回収箱２９とを連通するように構成され、外扉２の開閉に応じて自動的に硬貨通路を切り換える点で優れている。
【０００８】
ところで、硬貨回収ユニット２８の硬貨振分体における外扉２の背面側に突出する突起の寸法は、外扉２を閉じた状態で前記硬貨振分体を回動させて硬貨処理装置２１０の硬貨払出口と硬貨返却口２４とを連通するように定められている。このため、外扉２を閉じた状態で硬貨回収ユニット２８の硬貨振分体と自動販売機本体側１側の構成部材の前面との間の寸法が異なる場合には突起の突出寸法を硬貨回収ユニット２８の硬貨振分体と自動販売機本体側１側の構成部材の前面との間の寸法に対応した硬貨回収ユニット２８を用意して当該硬貨回収ユニット２８に変更するか自動販売機本体側１側の構成部材の前面にスペーサ（硬貨回収ユニット２８の硬貨振分体における突起に当接する比較的幅の広いスペーサ）を追加装備しなければならない。したがって、前者の場合には硬貨回収ユニット２８の硬貨振分体と自動販売機本体側１側の構成部材の前面との間の寸法が異なる機種ごとに突起の突出寸法の異なる硬貨回収ユニット２８の硬貨振分体を用意せねばならず、後者の場合には部品点数が増加してコストが上昇するという課題を有する。
【０００９】
前記課題を解決するため、硬貨回収ユニット２８の硬貨振分体における突起を着脱自在とし、硬貨回収ユニット２８の硬貨振分体と自動販売機本体側１側の構成部材の前面との間の寸法に応じた突起を装着することが考えられるが、突起の長さが長くなると外扉２の背面側に大きく張り出し、商品補充などを行う場合に外扉２を開放した際に前記突起が作業領域に突出することとなる。それも硬貨回収ユニット２８が外扉２の反ヒンジ側の端部に配設されていることから外扉２の反ヒンジ側の端部を回り込んで自動販売機本体１の前面開口に行き来する移動通路に突出することとなるので、行き来の際に突起にぶつかるおそれがあるという問題を有する。
【００１０】
本発明は上記の点に鑑みなされたものであり、その目的は前記課題を解決し、硬貨回収ユニットの硬貨振分体における突起にぶつかっても安全性を確保することが可能な自動販売機の硬貨回収ユニットを提供することにある。
【課題を解決するための手段】
【００１１】
上記目的を達成するために請求項１にかかる発明は、外扉の背面に設置して硬貨処理装置から払い出された硬貨を硬貨返却口若しくは回収箱に振分けて導く自動販売機の硬貨回収ユニットであって、硬貨回収ユニットは外扉を閉じた際に硬貨処理装置の硬貨払出口と硬貨返却口とを連通するように硬貨通路を切り換える一方、外扉を開放した際に硬貨処理装置の硬貨払出口と回収箱とを連通するように硬貨通路を切り換える硬貨振分体を備え、硬貨振分体は外扉の背面側に突出する被押圧部としての突起を有するものにおいて、前記突起は、左右方向に弾性変形可能な弾性体部を有するレバー片からなることを特徴とする。
【００１２】
また、請求項２にかかる発明は、請求項１に記載の自動販売機の硬貨回収ユニットにおいて、レバー片は短冊状の平板からなり、平板を左右方向に屈曲させて弾性体部を形成してなることを特徴とする。
【発明の効果】
【００１３】
本発明の請求項１に係る自動販売機の硬貨回収ユニットによれば、外扉の背面に設置して硬貨処理装置から払い出された硬貨を硬貨返却口若しくは回収箱に振分けて導く自動販売機の硬貨回収ユニットであって、硬貨回収ユニットは外扉を閉じた際に硬貨処理装置の硬貨払出口と硬貨返却口とを連通するように硬貨通路を切り換える一方、外扉を開放した際に硬貨処理装置の硬貨払出口と回収箱とを連通するように硬貨通路を切り換える硬貨振分体を備え、硬貨振分体は外扉の背面側に突出する被押圧部としての突起を有するものにおいて、前記突起は、左右方向に弾性変形可能な弾性体部を有するレバー片からなることにより、外扉を開放した際にレバー片が外扉の背面側の作業領域に大きく張り出して作業領域を行き来する作業者がぶつかった際にも弾性体部が変形してレバー片は弾性体部で屈曲するので安全性を確保することができるとともにレバー片が破損するのを抑制することができるという効果を奏する。
【図面の簡単な説明】
【００１４】
【図１】本発明の実施の形態１にかかる自動販売機の硬貨回収ユニットを示し、（ａ）は正面視斜め右方から見た斜視図、（ｂ）は背面視斜め左方から見た斜視図である。
【図２】図１の硬貨回収ユニットを分解して示し、（ａ）は図１の（ａ）に対応する分解図、（ｂ）は図１の（ｂ）に対応する分解図である。
【図３】硬貨振分体の斜視図である。
【図４】図１の硬貨回収ユニットの動作を示し、（ａ）は外扉開放時の硬貨回収ユニットの概略図、（ｂ）は外扉閉成時の硬貨回収ユニットの概略図である。
【図５】硬貨回収ユニットのレバー片の動作を示す概略平面図である。
【図６】本発明の実施対象の一例である自動販売機の正面図である。
【図７】図５の自動販売機の扉開放図である。
【発明を実施するための形態】
【００１５】
以下、本発明の実施の形態にかかる自動販売機の硬貨回収ユニットを図面に基づいて詳細に説明する。図１は本発明の実施の形態１にかかる自動販売機の硬貨回収ユニットの全体構成を示し、図２は図１の硬貨回収ユニットの分解図を示す。なお、硬貨回収ユニットは図７に示した硬貨回収ユニット２８と同様に外扉の背面に設置されるものであり、また、図６および図７に示す従来装置と同一のものには同一の符号を付している。
【００１６】
図１および図２において、１０で硬貨回収ユニットを示し、この硬貨回収ユニット１０は硬貨通路１００を形成する硬貨シュート枠１１、カバー枠１２、硬貨返却口部１３、硬貨振分体１４とからなる。
【００１７】
硬貨シュート枠１１は、硬貨処理装置２１０（図４，図７参照）の硬貨払出口２１０ａ（図４参照）から払い出された硬貨を案内する硬貨通路１００を形成する硬貨シュート１１０および硬貨処理装置２１０の金種別の釣銭チューブからオーバーフローした硬貨を回収箱２９（図４，図７参照）に案内する硬貨通路を形成するオーバーフローシュート１１１からなる。硬貨シュート１１０とオーバーフローシュート１１１とは左右に並置され、オーバーフローシュート１１１の上端部が硬貨シュート１１０の上端部よりも前方寄りに位置している。これはもっぱら硬貨処理装置２１０の構成、つまり、硬貨処理装置２１０硬貨払出口２１０ａとオーバーフロー硬貨の送出口（不図示）の位置によるものである。そして、硬貨シュート１１０により形成される硬貨通路１００が上下方向に延在するのに対し、オーバーフローシュート１１１により形成される硬貨通路１００が下方に向かうにつれて後方に傾斜して硬貨シュート１１０により形成される硬貨通路１００の下端後方に回り込んで回収箱２９に臨むように屈折して形成されている。上下方向に延在する硬貨通路１００を形成する硬貨シュート１１０の前部における中間域は後方に向けて湾曲した湾曲面として形成され、当該湾曲面には硬貨返却口２４に臨む硬貨返却用開口１１０ａが形成されている。また、硬貨シュート１１０の後部は、後述する硬貨振分体１４を装着するために開口している。そして、オーバーフローシュート１１１の上端には硬貨処理装置２１０からのオーバーフロー硬貨を受け入れるように拡開した受容口１１１ａが形成されている。
【００１８】
前記硬貨シュート枠１１の後面側に組付けられるカバー枠１２は、硬貨シュート枠１１の硬貨シュート１１０の上縁に対峙する位置に硬貨処理装置２１０（図４，図７参照）の硬貨払出口２１０ａから払い出された硬貨を受容する受容口１２０が形成されている。カバー枠１２の後部壁１２１は、硬貨シュート枠１１における硬貨シュート１１０に形成された上下方向に延在する硬貨通路１００の後部の開口を閉塞し、また、カバー枠１２の前部壁１２２は、硬貨シュート枠１１のオーバーフローシュート１１１に対向してオーバーフロー硬貨を案内する硬貨通路を形成するように構成されている。カバー枠１２の背部壁１２１には後述する硬貨振分体１４のレバー片１４１およびストッパ片１４２が貫通する異形孔１２１ａが形成されている。このカバー枠１２は、受容口１２０が形成された上部周囲壁が硬貨シュート枠の硬貨シュート１１０の上部周囲壁よりも一回り大きく形成され、受容口１２０が形成された上部周囲壁を硬貨シュート１１０の上部周囲壁に被せる態様で硬貨シュート枠１１に組付けられる。
【００１９】
前記硬貨シュート枠１１の前方側に組付けられる硬貨返却口部１３は、返却口枠１３０と返却口扉１３１からなる。返却口枠１３０は、前面が硬貨返却口２４として開口されるとともに後面が硬貨シュート１１０の硬貨返却用開口１１０ａに臨むように開口して形成されている。また、返却口枠１３０の底部は返却された硬貨を受容する受容部１３０ａとして形成されている。返却口扉１３１は透明な樹脂成型品になり、上縁の左右端部に支軸１３１ａ，１３１ａが突出して形成されている。この支軸１３１ａ，１３１ａは返却口枠１３０に形成した軸受部１３０ｂ、１３０ｂ（図２の（ｂ）参照）に挿入することにより自重により垂下する態様で配設され、前方から押されることにより後方に向けて回動するように開閉可能である。この硬貨返却口部１３は、返却口枠１３０の左右側壁に形成したフック爪１３０ｃ，１３０ｃを硬貨シュート１１０の係合片１１０ｃ，１１０ｃに係合させる態様で硬貨シュート１１０に組付けられる。
【００２０】
前記硬貨シュート枠１１に装着して組付けられる硬貨振分体１４は、図３にも示すように、上部および底部が開口した角形のホッパー１４０と、ホッパー１４０の後部壁から背面に向けて突き出すレバー片１４１とからなる。ホッパー１４０は、硬貨シュート枠１１の硬貨シュート１１０の後部に形成した開口を通して硬貨シュート１１０の硬貨通路に挿入可能な大きさに形成されている。また、ホッパー１４０の前部壁は、硬貨シュート１１０の前部に形成された硬貨返却用開口１１０ａに対峙した際に当該硬貨返却用開口１１０ａを閉塞可能な大きさに形成されている。さらに、ホッパー１４０の後部壁上縁の左右両端には支軸１４０ａ，１４０ａが突出して形成され、この支軸１４０ａ，１４０ａを硬貨シュート１１０に形成した軸受溝１１０ｂ、１１０ｂ（図２の（ｂ）参照）に挿入することにより硬貨振分体１４は回動自在に配設される。ホッパー１４０の後部壁から背面に向けて突き出すレバー片１４１は、短冊状の平板からなるとともに平板面が水平面に対して鉛直となる態様でホッパー１４０に一体に形成されている。このレバー片１４１の基部側には波形の弾性体部１４１ａを備え、レバー片１４１における弾性体部１４１ａよりも先端側の平板縁部には補強用のフランジ１４１ｂを備えている。そして、ホッパー１４０の後部壁下方域には斜め後方に向けて延在するとともに先端がＴ字状に形成されたストッパ片１４２（図２の（ｂ）参照）を備えている。このストッパ片１４２の左右に張り出すＴ字部は、カバー枠１２の背部壁１２１に形成した異形孔１２１ａを貫通する大きさに定められている。
【００２１】
この硬貨振分体１４の硬貨シュート枠１１への組付けは、硬貨シュート枠１１にカバー枠１２を組付ける前工程において、硬貨シュート枠１１に形成された上下方向に延在する硬貨通路１００の後部の開口からホッパー１４０を硬貨通路１００に挿入したうえで支軸１４０ａ，１４０ａを硬貨シュート１１０に形成した軸受溝１１０ｂ、１１０ｂ（図２の（ｂ）参照）に挿入することにより行われる。その後、カバー枠１２の背部壁１２１に形成した異形孔１２１ａに硬貨振分体１４のレバー片１４１およびストッパ片１４２を挿通させたうえでカバー枠１２を硬貨シュート枠１１に組付ける。このように、硬貨シュート枠１１に組付けられたカバー枠１２により支軸１４０ａ，１４０ａが挿入された軸受溝１１０ｂ、１１０ｂの開口部が閉塞され、硬貨振分体１４は支軸１４０ａ，１４０ａを支点として回動可能に配設される。このように、硬貨シュート枠１１に回動自在に軸支された硬貨振分体１４は、ホッパー１４０の後部壁から背面に向けて突き出すレバー片１４１に外力が付与されない状態においては自重により回動してレバー片１４１が背面に向けて略水平に突き出すとともにホッパー１４０の上部および底部の開口が硬貨通路１００を上下に連通する態様で待機するように重量配分されている。
【００２２】
かかる構成で、図４の（ｂ）に示すように、外扉２（二点鎖線で示す）を閉じた場合、硬貨回収ユニット１０から背後に突き出した硬貨振分体１４のレバー片１４１が内扉５（二点鎖線で示す）に突き当たって硬貨振分体１４のホッパー１４０が支軸１４０ａ，１４０ａを支点として時計回りの方向に回動する。この場合、レバー片１４１の弾性体部１４１ａは、レバー片１４１に左右方向の外力が加えられた場合には変形する一方、上下方向の外力が加えられた場合には変形することがないので、レバー片１４１が内扉５（二点鎖線で示す）に突き当たっても変形することはない。そして、外扉２が自動販売機本体１の前面を閉塞するように閉じた状態では、ホッパー１４０の底部の開口が硬貨返却用開口１１０ａに臨んで硬貨処理装置２１０の硬貨払出口２１０ａと硬貨返却口２４とを連通するとともにホッパー１４０のレバー片１４１が植設された後部壁が回収箱２９に通じる通路を遮断するように硬貨通路１００を切り換える。したがって、この状態で商品販売時に硬貨処理装置２１０から払い出された硬貨（釣銭）Ｃは硬貨返却口２４の中に排出される。ここで、ホッパー１４０の後部壁下方域には斜め後方に向けて延在するストッパ片１４２は、外扉２を激しく閉じた際にホッパー１４０が許容範囲以上に回動してロックしてしまうのを防止するように、Ｔ字状部が硬貨通路１００を構成する前部壁に当接するものである。
【００２３】
一方、硬貨処理装置２１０の金種別の釣銭チューブに保留されている硬貨を一括して集金箱２９に回収するために外扉２を開くと、内扉５に当接して外力が付与されていたレバー片１４１は外力が付与されなくなるのでフリー状態となる。これにより、硬貨振分体１４のホッパー１４０は、支軸１４０ａ，１４０ａを支点として反時計回りの方向に自重により回動し、図４の（ａ）に示すように、硬貨処理装置２１０の硬貨払出口２１０ａと回収箱２９とを連通するとともにホッパー１４０の前部壁が硬貨返却用開口１１０ａに通じる通路を閉塞するように硬貨通路１００を切り換える。したがって、この状態で硬貨処理装置２１０の金種別の釣銭チューブに保留された硬貨の一括払出指令を与えると、硬貨処理装置２１０から払い出された硬貨Ｃは回収箱２９に回収される。
【００２４】
さて、硬貨回収ユニット１０を外扉２の背面に配設した状態では、硬貨振分体１４におけるホッパー１４０の後部壁から背面に向けて突き出すレバー片１４１は、外扉２の背面から大きく張り出している。このため、商品補充などを行う場合に外扉２を開放した際に前記レバー片１４１が作業領域に突出することなり、作業者が外扉２の反ヒンジ側の端部を回り込んで自動販売機本体１の前面開口に行き来する際にレバー片１４１にぶつかることがある。しかしながら、レバー片１４１の基部側には波形の弾性体部１４１ａが設けられていることから、作業者がレバー片１４１にぶつかった際には弾性体部１４１ａが変形してレバー片１４１は当該弾性体部１４１ａで屈曲する（図５参照）。したがって、作業者がレバー片１４１にぶつかっても怪我を防止することができるうえにレバー片１４１が破損するのを抑制することができる。
【００２５】
ここで、レバー片１４１の弾性体部１４１ａは、外扉２の正面視左右方向へ変形するように構成されている。これは、作業者が外扉２の反ヒンジ側の端部を回り込んで自動販売機本体１の前面開口に行き来する方向が外扉２の正面視左右方向となる一方、硬貨回収ユニット１０は外扉２の背面の下部領域に配設されることからレバー片１４１に上下方向の外力、特に上方への外力が加えられることは殆どないので、レバー片１４１の弾性体部１４１ａは、外扉２の正面視左右方向へ変形すれば足りるものである。なお、レバー片１４１に下方への外力が加えられた場合には、硬貨振分体１４のホッパー１４０が支軸１４０ａ，１４０ａを支点として時計回りの方向に回動することからレバー片１４１により怪我をすることはないものである。
【００２６】
前述したように、この実施の形態１にかかる自動販売機の硬貨回収ユニットにおいては、外扉２の背面に設置して硬貨処理装置２１０から払い出された硬貨を硬貨返却口２４若しくは回収箱２９に振分けて導く自動販売機の硬貨回収ユニット１０であって、硬貨回収ユニットは外扉２を閉じた際に硬貨処理装置２１０の硬貨払出口２１０ａと硬貨返却口２４とを連通するように硬貨通路１００を切り換える一方、外扉２を開放した際に硬貨処理装置２１０の硬貨払出口２１０ａと回収箱２９とを連通するように硬貨通路１００を切り換える硬貨振分体１４を備え、硬貨振分体１４は外扉２の背面側に突出する被押圧部としての突起を有するものにおいて、前記突起は、左右方向に弾性変形可能な弾性体部１４１ａを有するレバー片１４１からなることにより、外扉２を開放した際にレバー片１４１が外扉２の背面側の作業領域に大きく張り出して作業領域を行き来する作業者がぶつかった際にも弾性体部１４１ａが変形してレバー片は１４１弾性体部１４１ａで屈曲するので安全性を確保することができるとともにレバー片１４１が破損するのを抑制することができるという効果を奏する。
【００２７】
前述した実施の形態では、硬貨回収ユニット１０の硬貨振分体１４が回動方式のものについて説明したが、硬貨振分体が前後方向にスライドするスライド方式のものにも適用できるものである。したがって、本発明は実施の形態に限定されるものではない。
【符号の説明】
【００２８】
２…外扉、１０…硬貨回収ユニット、１１…硬貨シュート枠、１２…カバー枠、１３…硬貨返却口部、１４…硬貨振分体、２４…硬貨返却口、２９…回収箱、１００…硬貨通路、１４０…ホッパー、１４１…レバー片、１４１ａ…弾性体部、２１０…硬貨処理装置、２１０ａ…硬貨払出口。
【図１】
2016119013.tif 000003
【図２】
2016119013.tif 000004
【図３】
2016119013.tif 000005
【図４】
2016119013.tif 000006
【図５】
2016119013.tif 000007
【図６】
2016119013.tif 000008
【図７】
2016119013.tif 000009